(57)【要約】【課題】照明光照射方向が変更でき、且つ、収納が容易な発光部を備えた撮像装置。【解決手段】照明光を発生する発光部と、発光部を回動可能に支持する支持部と、支持部を回動可能に支持する本体と、支持部が回動して本体に近づいた場合に、本体に収容される収容姿勢に向かって発光部を回動させる引き込み部とを備える。上記撮像装置において、引き込み部は、支持部が本体に最も接近する位置まで回動する前に、発光部を収容姿勢まで回動させてもよい。また、上記撮像装置において、引き込み部は、発光部を収容姿勢に向かって回動させるべく付勢する付勢部と、発光部に係合して、付勢部の付勢に抗して発光部の姿勢を維持する係止部と、支持部が回動して本体に近づいた場合に、係止部の発光部に対する係合を解く開放部とを有してもよい。【選択図】図３
2011076005.tif 000002
【特許請求の範囲】
【請求項１】
照明光を発生する発光部と、
前記発光部を回動可能に支持する支持部と、
前記支持部を回動可能に支持する本体と、
前記支持部が回動して前記本体に近づいた場合に、前記本体に収容される収容姿勢に向かって前記発光部を回動させる引き込み部と
を備える撮像装置。
【請求項２】
前記引き込み部は、前記支持部が前記本体に最も接近する位置まで回動する前に、前記発光部を前記収容姿勢まで回動させる請求項１に記載の撮像装置。
【請求項３】
前記引き込み部は、
前記発光部を前記収容姿勢に向かって回動させるべく付勢する付勢部と、
前記発光部に係合して、前記付勢部の付勢に抗して前記発光部の姿勢を維持する係止部と、
前記支持部が回動して前記本体に近づいた場合に、前記係止部の前記発光部に対する係合を解く開放部と
を有する請求項１または請求項２に記載の撮像装置。
【発明の詳細な説明】
【技術分野】
【０００１】
本発明は撮像装置に関する。
【背景技術】
【０００２】
内蔵した照明装置を筐体から突出させて使用する撮像装置がある。また、突出させた照明装置の照明光照射方向を変化させることができる撮像装置もある（特許文献１参照）。
【先行技術文献】
【特許文献】
【０００３】
【特許文献１】特開平０９−０６１８９９号公報
【発明の概要】
【発明が解決しようとする課題】
【０００４】
撮像装置に格納する照明装置は、主に寸法の制約から、照明光照射方向の可変範囲が狭くなりがちになる。このため、間接光により撮像対象を照明して撮像するバウンス撮像において十分な効果が得られない場合がある。
【課題を解決するための手段】
【０００５】
上記課題を解決すべく、本発明の一態様として、照明光を発生する発光部（２２０）と、発光部を回動可能に支持する支持部（２１０）と、支持部を回動可能に支持する本体（１１０）と、支持部が回動して本体に近づいた場合に、本体に収容される収容姿勢に向かって発光部を回動させる引き込み部（２５０、２６０）とを備える撮像装置（１００）が提供される。
【０００６】
上記の発明の概要は、本発明の必要な特徴の全てを列挙したものではない。また、これらの特徴群のサブコンビネーションも発明となり得る。
【図面の簡単な説明】
【０００７】
【図１】デジタルカメラ１００の正面図である。
【図２】デジタルカメラ１００の側面図である。
【図３】照明部２００の断面図である。
【図４】照明部２００の他の断面を示す断面図である。
【図５】照明部２００の他の状態を示す断面図である。
【図６】照明部２００の他の状態を示す断面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、デジタルカメラ１００の正面図である。デジタルカメラ１００は、筐体１１０と、筐体１１０の前面に配された撮像レンズ１２０と、筐体１１０の上面に配されたシャッタレリーズボタン１３０および照明部２００とを備える。
【００１０】
筐体１１０は、図上の左側端部において紙面に垂直な方向に厚さを増してグリップ部１１２を形成する。シャッタレリーズボタン１３０は、グリップ部１１２の頂面に配される。撮像レンズ１２０は、グリップ部１１２を除く筐体１１０の略中央に配され、レンズ鏡筒１２２を介して筐体１１０の前面に支持される。
【００１１】
照明部２００は、撮像レンズ１２０の上方において、筐体１１０の上面に配される。図示の状態において、照明部２００は、筐体１１０の格納部前壁１１４の後方に格納されている。格納された照明部２００の背面（図示の状態では上面）は、筐体１１０の上面と連続した面をなす。これにより、使用しない場合の照明部２００は筐体１１０の内側に格納されて外部から見えない。
【００１２】
図２は、デジタルカメラ１００の側面図である。図２は、図１中に矢印Ａで示す方向からデジタルカメラ１００を見た様子を示す。なお、図１と共通の要素には同じ参照番号を付して重複する発明を省く。
【００１３】
図示の状態では、照明部２００が起立して、筐体１１０の上面から上方に突出する。照明部２００は、照明光を発生する発光部２２０と、発光部２２０を支持する支柱部２１０とを有する。このため、筐体１１０の上面には格納部１１１が露出する。
【００１４】
起立した発光部２２０は、支柱部２１０により筐体１１０から上方に離れた位置に保持される。これにより、発光部２２０は、レンズ鏡筒１２２から離れた位置で照明光を照射する。従って、照明光がレンズ鏡筒１２２に蹴られ難い。
【００１５】
なお、図２には、筐体１１０の背面に配された表示部１４０およびファインダ１５０が見える。ファインダ１５０は、液晶表示板を内蔵して、デジタルカメラ１００のイメージセンサが捕らえた光像の確認に使用される。表示部１４０は、撮像済み画像の再生、デジタルカメラ１００の設定用インターフェイス等に使用される。
【００１６】
図３は、照明部２００の断面図である。照明部２００は、支柱部２１０、発光部２２０およびラッチ部材２７０を有する。なお、図３は、照明部２００が筐体１１０の格納部１１１に格納された状態を示す。
【００１７】
支柱部２１０は、中空の内部に、固定カム２６０、プッシュロッド２５０、爪部材２４０および回動ギア２３０を有する。また、支柱部２１０は、格納部背面１１６に対して固定された支持軸２６２から軸支される。固定カム２６０は、支持軸２６２に対して固定されたカム面２６４を有する。従って、支柱部２１０が支持軸２６２の廻りに回転した場合、カム面２６４は、支柱部２１０に対して相対的に回転する。
【００１８】
プッシュロッド２５０は、支柱部２１０の内側に配された一対のリブ２１２、２１４から、長手方向に摺動可能に支持される。プッシュロッド２５０の一端（図中の左端）は、円滑に仕上げられてカム面２６４に当接するカムフォロワ２５８をなす。プッシュロッド２５０の中程には、鍔部２５６が設けられる。
【００１９】
鍔部２５６と、固定カム２６０から遠い側のリブ２１２との間には、圧縮されたコイルバネ２５４が配される。これにより、プッシュロッド２５０は固定カム２６０に向かって、図中に矢印Ｓで示す方向に付勢され、カムフォロワ２５８がカム面２６４に押し付けられる。
【００２０】
プッシュロッド２５０の他端（図中の右端）は、作用端として、爪部材２４０を保持する。爪部材２４０は、プッシュロッド２５０の作用端２５２に対して固定された固定部２４２と、固定部２４２から後述する回動ギア２３０に向かって延在するラチェット爪２４４とを有する。ただし、図示の状態では、ラチェット爪２４４は回動ギア２３０に噛み合っていない。
【００２１】
回動ギア２３０は、回動軸２３２およびラチェット歯２３４を有する。回動軸２３２は、支柱部２１０に対して回動する。ラチェット歯２３４は、回動軸２３２と共に、支柱部２１０に対して回動する。
【００２２】
更に、支柱部２１０は、下面に垂下したフック部２１６を有する。フック部２１６は、ラッチ部材２７０のラッチ面２７４と係合する。ラッチ部材２７０は、ラッチ面２７４と反対側の端部にボタン部２７２を有する。ボタン部２７２は、格納部背面１１６から、筐体１１０の外側に露出する。
【００２３】
発光部２２０は、筐体２２４、放電管２２８、反射板２２６および拡散板２２２を有する。筐体２２４は、放電管２２８、反射板２２６および拡散板２２２を収容して、回動軸２３２から支持される。これにより、発光部２２０は、支柱部２１０に対して、回動軸２３２の廻りに回動する。
【００２４】
放電管２２８は、筐体２２４の内部に収容されて外部から絶縁される。また、筐体２２４の内部において、放電管２２８は一端が開口する反射板２２６に包囲される。反射板２２６は放物線を描く断面形状を有する。
【００２５】
反射板２２６が開口する側において、筐体２２４には透明な拡散板２２２が配される。これにより、放電管２２８が発生した閃光は、拡散板２２２から筐体２２４外部に照射される。なお、図示の状態では、拡散板２２２の直前は格納部前壁１１４に塞がれている。デジタルカメラ１００の筐体１１０外部から見た場合、照明部２００の背面は筐体１１０と連続した面をなす。
【００２６】
なお、発光部２２０が格納された状態では、発光部２２０の直前に格納部前壁１１４が位置するので、発光部２２０を支柱部２１０に対して回動させることはできない。換言すれば、支柱部２１０に対して発光部２２０が回動した状態では、格納部１１１に発光部２２０を格納することはできない。従って、いったん起立した発光部２２０を格納部１１１に格納する場合は、支柱部２１０に対する発光部２２０の相対位置を、図示のような格納位置にした後に支柱部２１０を倒すことが求められる。
【００２７】
図４は、照明部２００の他の断面図である。図４は、図３に示した断面と平行ではあるが、支持軸２６２の延在方向にずれた位置の断面を示す。図３と共通の要素には同じ参照番号を付して重複する説明を省く。
【００２８】
支柱部２１０は、回動ギア２３０の回動軸２３２に装着された捩じりバネ２８０と、支持軸２６２に装着された捩じりバネ２９０とを有する。捩じりバネ２８０、２９０は、一対の直線部２８２、２８６、２９２、２９６と、直線部２８２、２８６、２９２、２９６を結合するコイル部２８４、２９４とを含む。
【００２９】
捩じりバネ２８０は、コイル部２８４に回動軸２３２を挿通される。捩じりバネ２８０一方の直線部２８６は、支柱部２１０の内壁とリブ２１２、２１４との間に挟まれ、支柱部２１０に対して固定される。他方の直線部２８２は、支柱部２１０に設けられたスリット２１８を通じて、発光部２２０の筐体２２４に設けられた貫通穴２２１に挿通される。これにより、直線部２８２は、発光部２２０の回動と共に回動する。
【００３０】
捩じりバネ２８０は、支柱部２１０に対して発光部２２０が格納位置をとる方向に発光部２２０を付勢する。従って、他の部材に係止されない限り、発光部２２０は、支柱部２１０に対して自律的に格納位置に復帰する。ただし、支柱部２１０の当接面２１３と、発光部２２０の当接面２２３とが当接することにより、発光部２２０が、図示の状態を越えて時計廻りに回転することはない。
【００３１】
捩じりバネ２９０は、コイル部２９４に支持軸２６２を挿通される。捩じりバネ２９０一方の直線部２９２は、支柱部２１０の内壁と一方のリブ２１４との間に挟まれ、支柱部２１０に対して固定される。他方の直線部２９６は、支柱部２１０に設けられたスリット２１５を通じて、格納部背面１１６の内側に当接する。これにより、直線部２９６は、発光部２２０が回動した場合も、格納部背面１１６に当接したまま固定される。
【００３２】
捩じりバネ２９０は、支柱部２１０が、支持軸２６２を軸として反時計廻りに回動する方向に、支柱部２１０を付勢する。従って、ラッチ部材２７０のボタン部２７２が押されてフック部２１３とラッチ面２７４との係合がはずれた場合、支柱部２１０は、格納部１１１から起立して、デジタルカメラ１００の上方に突出する。
【００３３】
図５は、照明部２００の他の状態を示す断面図である。図５は、照明部２００が、格納部１１１から起立して発光部２２０を持ち上げた状態を示す。図５において、図３と共通の要素には同じ参照番号を付して重複する説明を省く。
【００３４】
支柱部２１０は、捩じりバネ２９０により、図中に矢印Ｂで示す方向に付勢されている。これにより、ラッチ部材２７０のボタン部２７２を図中の矢印Ｐで示す方向に押した場合、ラッチ面２７４がフック部２１６からはずれて、支持軸２６２の廻りを回動する。これにより、支柱部２１０は、格納部１１１から起立して、発光部２２０を上方に持ち上げる。
【００３５】
支柱部２１０が回動した場合、プッシュロッド２５０のカムフォロワ２５８は、支持軸２６２と共に固定されたカム面２６４に沿って移動して、支持軸２６２から離れる方向に移動する。従って、プッシュロッド２５０は、コイルバネ２５４の付勢に抗して長手方向に移動する。
【００３６】
これにより、作用端２５２に保持された爪部材２４０も移動して、ラチェット爪２４４が、回動ギア２３０のラチェット歯２３４と噛み合う。こうして、爪部材２４０および回動ギア２３０は、回動軸２３２の廻りにラチェットを形成する。
【００３７】
図示の状態では、発光部２２０は、支柱部２１０に対して格納位置を維持している。このため、拡散板２２２は垂直に起立して、放電管２２８が発生した照明光は、図中に矢印Ｌで示す前方に照射される。従って、照明光は、デジタルカメラ１００の撮像対象を直接光で照明する。
【００３８】
図６は、照明部２００の他の状態を示す断面図である。図６は、支柱部２１０が格納部１１１に対して起立した状態で、更に、照明部２００が支柱部２１０に対して回動させた状態を示す。図６において、図３および図５と共通の要素には同じ参照番号を付して重複する説明を省く。
【００３９】
支柱部２１０において、回動ギア２３０のラチェット歯２３４は時計廻りに傾斜している。これにより、捩じりバネ２８０の付勢に抗して、発光部２２０を図中に矢印Ｃで示す反時計廻りに回動させた場合、回動ギア２３０も発光部２２０と共に円滑に回動する。これにより、発光部２２０の位置は、格納部１１１から更に離れた位置に移動する。
【００４０】
回動した発光部２２０の位置は、回動ギア２３０および爪部材２４０が形成されるラチェットにより、捩じりバネ２８０の付勢に抗して保持される。従って、後述する操作をするまで、発光部２２０の位置と発光方向が維持される。
【００４１】
図示の状態では、発光部２２０は略９０°回動して、拡散板２２２が略水平になっている。これにより、放電管２２８が発生した照明光は、図中に矢印Ｌで示すように上方に向かって照射される。従って、照明光は、デジタルカメラ１００の撮像対象に直接光として照射されることはない。
【００４２】
図６では、照射方向が上方になるまで発光部２２０を回動させたが、回動ギア２３０および爪部材が形成するラチェットは、ラチェット歯２３４がラチェット爪２４４と噛み合う位置であればどの位置でも発光部２２０の位置を保持できる。従って、デジタルカメラ１００のユーザは、撮像意図に応じて、照明光の照射方向に任意に設定できる。
【００４３】
再び図３を参照する。図５に示した状態から、支柱部２１０を格納部１１１に向かって押し倒した場合、コイルバネ２５４の付勢されたプッシュロッド２５０のカムフォロワ２５８は、カム面２６４に沿って支持軸２６２に近づく方向に移動する。これにより、プッシュロッド２５０は長手方向に移動するので、作用端２５２に保持された爪部材２４０も、回動ギア２３０から遠ざかる方向に移動する。
【００４４】
爪部材２４０の移動によりラチェット爪２４４およびラチェット歯２３４の噛み合いがはずれると捩じりバネ２８０の付勢に抗するものがなくなり、発光部２２０は格納位置に復帰する。従って、カム面２６４のプロファイルを調整することにより、支柱部２１０が倒れ切る前に発光部２２０を格納位置に復帰させることができる。なお、支柱部２１０をある程度倒すと発光部２２０が格納位置に復帰する機能は、発光部２２０をバウンス照明から直接照明に切り替える場合にも利用できる。
【００４５】
発光部２２０が支柱部２１０に対する格納位置に復帰すれば、発光部２２０は格納部前壁１１４に沿って格納部１１１内に収容できる。また、支柱部２１０を格納部１１１の内部まで倒し込んだ場合、支柱部２１０のフック部２１６とラッチ部材２７０のラッチ面２７４とが支柱部２１０を係止する。これにより、照明部２００全体が格納部１１１に格納される。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を、後の処理で用いる場合でない限り、任意の順序で実現しうることに留意されたい。特許請求の範囲、明細書、および図面中の動作フローに関して、便宜上「まず、」、「次に、」等を用いて説明したとしても、この順で実施することが必須であることを意味するものではない。
【符号の説明】
【００４８】
１００  デジタルカメラ、１１０、２２４  筐体、１１１  格納部、１１２  グリップ部、１１４  格納部前壁、１１６  格納部背面、１２０  撮像レンズ、１２２  レンズ鏡筒、１３０  シャッタレリーズボタン、１４０  表示部、１５０  ファインダ、２００  照明部、２１０  支柱部、２１２、２１４  リブ、２１３、２２３  当接面、２１５、２１８  スリット、２１６  フック部、２２０  発光部、２２１  貫通穴、２２２  拡散板、２２６  反射板、２２８  放電管、２３０  回動ギア、２３２  回動軸、２３４  ラチェット歯、２４０  爪部材、２４２  固定部、２４４  ラチェット爪、２５０  プッシュロッド、２５２  作用端、２５４  コイルバネ、２５６  鍔部、２５８  カムフォロワ、２６０  固定カム、２６２  支持軸、２６４  カム面、２７０  ラッチ部材、２７２  ボタン部、２７４  ラッチ面、２８０、２９０  捩じりバネ、２８２、２８６、２９２、２９６  直線部、２８４  コイル部
【図１】
2011076005.tif 000003
【図２】
2011076005.tif 000004
【図３】
2011076005.tif 000005
【図４】
2011076005.tif 000006
【図５】
2011076005.tif 000007
【図６】
2011076005.tif 000008